(57)【要約】【課題】対物レンズホルダの共振周波数を高くすると共に、共振のゲインを小さくする。【解決手段】対物レンズが保持される矩形状の保持板と、前記保持板の相対する二辺から同じ方向に立ち上がり、前記対物レンズをフォーカス方向及びトラッキング方向の少なくとも一の方向に変位させるためのコイルが夫々取り付けられる平板状の第１及び第２脚板と、前記保持板と前記第１及び第２脚板との、前記保持板と前記第１及び第２脚板とで取り囲まれる側の面に取り付けられる補強板とを備える。【選択図】図９
2015026402.tif 000002
【特許請求の範囲】
【請求項１】
対物レンズが保持される矩形状の保持板と、
前記保持板の相対する二辺から同じ方向に立ち上がり、前記対物レンズをフォーカス方向及びトラッキング方向の少なくとも一の方向に変位させるためのコイルが夫々取り付けられる平板状の第１及び第２脚板と、
前記保持板と前記第１及び第２脚板との、前記保持板と前記第１及び第２脚板とで取り囲まれる側の面に取り付けられる補強板と、
を備え、
前記補強板は、前記第１及び第２脚板に夫々対向する第１及び第２補強部と、前記保持板に対向する第３補強部と、からなる一体板を有し、
前記第３補強部は、前記保持板に対して第１接着剤で接着され、
前記第１及び第２補強部は、夫々、前記第１及び第２脚板に対して前記第１接着剤の硬度よりも低い硬度の第２接着剤で接着される
ことを特徴とする対物レンズホルダ。
【請求項２】
前記補強板は、前記第１乃至第３補強部と、前記対物レンズの前記第３補強部とは反対側において前記保持板に対向する第４補強部と、からなる一体板を有し、
前記第４補強部は、前記保持板に対して前記第１接着剤で接着される
ことを特徴とする請求項１に記載の対物レンズホルダ。
【請求項３】
前記補強板は、前記保持板と前記第１及び第２脚板とで取り囲まれる領域において前記対物レンズに対向する位置に配置される立上ミラーの傾きに沿う湾曲アームを有し、
前記第３及び第４補強部は、前記湾曲アームで結合される
ことを特徴とする請求項２に記載の対物レンズホルダ。
【請求項４】
前記保持板は、前記対物レンズとして第１及び第２対物レンズを隣り合うように保持し、
前記第１及び第２脚板は、前記第１及び第２対物レンズが隣り合う方向に沿う、前記保持板の相対する二辺から同じ方向に立ち上がり、
前記補強板は、前記第１乃至第３補強部と、前記第１対物レンズの前記第３補強部とは反対側において前記保持板に対向する第４補強部と、からなる一体板を有する
ことを特徴とする請求項２に記載の対物レンズホルダ。
【請求項５】
前記補強板は、前記保持板と前記第１及び第２脚板とで取り囲まれる領域において前記第１対物レンズに対向する位置に配置される立上ミラーの傾きに沿う湾曲アームを有し、
前記第３及び第４補強部は、前記湾曲アームで結合される
ことを特徴とする請求項４に記載の対物レンズホルダ。
【請求項６】
前記保持板と前記第１及び第２脚板とは、樹脂を用いて一体成形され、
前記補強板は、金属板を折り曲げ加工して形成される
ことを特徴とする請求項１乃至５の何れかに記載の対物レンズホルダ。
【請求項７】
前記請求項１乃至６の何れかに記載の対物レンズホルダと、
前記対物レンズと、
前記コイルと、
前記コイルに対向するマグネットと、
前記対物レンズホルダを変位させるアクチュエータと、
を備えたことを特徴とする対物レンズ駆動装置。
【請求項８】
レーザダイオードと、
前記レーザダイオードが発光するレーザ光を前記対物レンズに案内する前記立上ミラーを含む光学素子と、
前記請求項７に記載の対物レンズ駆動装置と、
を備えたことを特徴とする光ピックアップ装置。
【発明の詳細な説明】
【技術分野】
【０００１】
本発明は、対物レンズホルダ対物レンズ駆動装置、光ピックアップ装置に関する。
【背景技術】
【０００２】
例えば、対物レンズを保持する対物レンズホルダをフォーカス方向に変位させる際、対物レンズホルダが振動する共振が発生する。その場合、対物レンズを変位させる精度が低下し、光ディスクからの良好な情報の読み取りが妨げられる虞がある。そこで、対物レンズホルダに対して、当該対物レンズホルダの剛性を高めて共振周波数を高くするための補強板を備える技術が知られている。（特許文献１）
【先行技術文献】
【特許文献】
【０００３】
【特許文献１】特開２００９−２７１９６１号公報
【発明の概要】
【発明が解決しようとする課題】
【０００４】
一般に対物レンズホルダでは、光ディスクからの良好な情報の読み取りを行うために、共振周波数を高くするとともに、共振のゲインを小さくするのが望ましい。しかし、特許文献１に開示される対物レンズホルダでは、補強板が設けられているが、対物レンズホルダの剛性が高くなり共振のゲインが大きくなる。その場合、光ディスクからの情報の良好な読み取りが妨げられる虞がある。
【課題を解決するための手段】
【０００５】
前述した課題を解決する主たる本発明は、対物レンズが保持される矩形状の保持板と、前記保持板の相対する二辺から同じ方向に立ち上がり、前記対物レンズをフォーカス方向及びトラッキング方向の少なくとも一の方向に変位させるためのコイルが夫々取り付けられる平板状の第１及び第２脚板と、前記保持板と前記第１及び第２脚板との、前記保持板と前記第１及び第２脚板とで取り囲まれる側の面に取り付けられる補強板と、を備え、前記補強板は、前記第１及び第２脚板に夫々対向する第１及び第２補強部と、前記保持板に対向する第３補強部と、からなる一体板を有し、前記第３補強部は、前記保持板に対して第１接着剤で接着され、前記第１及び第２補強部は、夫々、前記第１及び第２脚板に対して前記第１接着剤の硬度よりも低い硬度の第２接着剤で接着されることを特徴とする対物レンズホルダである。
【０００６】
本発明の他の特徴については、添付図面及び本明細書の記載により明らかとなる。
【発明の効果】
【０００７】
本発明によれば、対物レンズホルダの共振周波数を高くすると共に、共振のゲインを小さくできる。
【図面の簡単な説明】
【０００８】
【図１】本発明の実施形態における光ピックアップ装置の光学系の構成を示す図である。
【図２】本発明の実施形態における光ピックアップ装置の光学系の一部の構成を示す図である。
【図３】本発明の実施形態における光ピックアップ装置を示す分解斜視図である。
【図４】本発明の実施形態における対物レンズが露出する側から見たレンズホルダを示す斜視図である。
【図５】本発明の実施形態における脚板が立ち上がる側から見たレンズホルダを示す斜視図である。
【図６】本発明の実施形態における保持板と対向する側から見た補強板を示す斜視図である。
【図７】本発明の実施形態における保持板と対向する側と反対側から見た補強板を示す斜視図である。
【図８】本発明の実施形態における補強板と立上ミラーとを示す側面図である。
【図９】本発明の実施形態におけるレンズホルダを示す断面図である。
【図１０】本発明の実施形態における共振周波数とゲインとの関係を示す特性図である。
【発明を実施するための形態】
【０００９】
本明細書および添付図面の記載により、少なくとも以下の事項が明らかとなる。
【００１０】
[第１実施形態]
＝＝＝光ピックアップ装置の光学系＝＝＝
図１は、本実施形態に係る光ピックアップ装置の光学系の構成を示す図である。図２は、本実施形態に係る光ピックアップ装置の光学系の一部の構成を示す図である。  
光ピックアップ装置１００は、回転する光ディスクにレーザ光を照射し、光ディスクで反射されるレーザ光の戻り光を検出する装置である。光ピックアップ装置１００は、例えば光ディスク装置（不図示）等の情報記録再生装置に実装される。なお、光ピックアップ装置１００によって情報の記録又は再生が行われる光ディスクは、例えばＢＤ（Ｂｌｕ―ｒａｙ  Ｄｉｓｃ）規格の光ディスク（以下、「第１光ディスク５Ａ」と称する）、ＤＶＤ（Ｄｉｇｉｔａｌ  Ｖｅｒｓａｔｉｌｅ  Ｄｉｓｃ）規格の光ディスク（以下、「第２光ディスク５Ｂ」と称する）、ＣＤ（Ｃｏｍｐａｃｔ  Ｄｉｓｃ）規格の光ディスク（以下、「第３光ディスク５Ｃ」と称する）等である。光ピックアップ装置１００は、第２光ディスク５Ｂ、第３光ディスク５Ｃに照射される第１レーザ光の光路に沿った第１光学系と、第１光ディスク５Ａに照射される第２レーザ光の光路に沿った第２光学系を有する。尚、第１光学系、第２光学系の詳細については後述する。
【００１１】
＝＝＝第１光学系＝＝＝
以下、図１乃至図３を参照して、本実施形態における光ピックアップ装置の第１光学系について説明する。図３は、本実施形態における光ピックアップ装置を示す分解斜視図である。尚、スピンドルモータの回転軸（不図示）の中心軸が、説明の便宜上、一点鎖線で示される。第１の１／２波長板１３、第２回折格子２２、第２の１／２波長板２３、第１フォーカスコイル７４、第２フォーカスコイル７５、トラッキングコイル７６は見えない状態となっている。
【００１２】
第１光学系は、ＤＶＤ規格及びＣＤ規格用の光学系であり、第１レーザ光源１１０、第１回折格子１２、第１の１／２波長板１３、ビームスプリッタ３２、コリメートレンズ３３、１／４波長板３４、反射ミラー３５、第１立上ミラー１５（立上ミラー）、第１対物レンズ１６（対物レンズ）、カップリングレンズ２４、ハーフミラー３６、検出レンズ３７、光検出器３８、フロントモニタダイオード３１等の光学素子を含んで構成される。
【００１３】
第１レーザ光源１１０は、第２光ディスク５Ｂに照射する赤色波長帯（６４５ｎｍ〜６７５ｎｍ）のうち例えば６５５ｎｍの波長と、第３光ディスク５Ｃに照射する赤外波長帯（７６５ｎｍ〜８０５ｎｍ）のうち例えば７８５ｎｍの波長の、異なる２波長の第１レーザ光を選択的に発生する。第１レーザ光源１１０は、例えば６５５ｎｍの波長の第１レーザ光を発生する第１レーザダイオード１１Ａ（レーザダイオード）と、例えば７８５ｎｍの波長の第１レーザ光を発生する第１レーザダイオード１１Ｂ（レーザダイオード）とを、第１ホルダ１７（図３）に内蔵して形成される。
【００１４】
第１回折格子１２は、第１レーザ光源１１０で発生した第１レーザ光から、０次光、＋１次回折光、−１次回折光を生成する。  
第１の１／２波長板１３は、例えば、Ｓ偏光の直線偏光光である第１レーザ光をＰ偏光の直線偏光光に変換する。
【００１５】
ビームスプリッタ３２は、例えば、赤色波長帯及び赤外波長帯のＰ偏光のレーザ光を透過し、赤色波長帯及び赤外波長帯のＰ偏光以外のレーザ光を反射する。ビームスプリッタ３２は、第１の１／２波長板１３から入射する赤色波長帯又は赤外波長帯のＰ偏光の第１レーザ光を透過する。このとき、ビームスプリッタ３２は、第１レーザ光の強度を調整するために、第１レーザ光の一部をフロントモニタダイオード３１の方向に反射するものとする。尚、フロントモニタダイオード３１は、ビームスプリッタ３２から第１レーザ光の一部を入射して、第１レーザ光の強度を調整するための光学素子である。又、コリメートレンズ３３から入射する第１レーザ光の戻り光は、例えば、第２光ディスク５Ｂ又は第３光ディスク５Ｃで反射してＳ偏光のレーザ光となっているので、ビームスプリッタ３２は、第１レーザ光の戻り光を、カップリングレンズ２４の方向に反射する。
【００１６】
コリメートレンズ３３は、ビームスプリッタ３２から入射する第１レーザ光を平行光に変換する。
【００１７】
１／４波長板３４は、コリメートレンズ３３から入射する第１レーザ光を、直線偏光光から円偏光光に変換する。又、１／４波長板３４は、反射ミラー３５から入射する第１レーザ光の戻り光を、円偏光光から直線偏光光に変換する。
【００１８】
反射ミラー３５は、１／４波長板３４から入射する第１レーザ光を、第１立上ミラー１５の方向に反射する。又、反射ミラー３５は、第１立上ミラー１５から入射する第１レーザ光の戻り光を１／４波長板３４の方向に反射する。
【００１９】
第１立上ミラー１５は、反射ミラー３５から入射する第１レーザ光を、第２光ディスク５Ｂ又は第３光ディスク５Ｃの記録面に垂直な方向に反射する。又、第１立上ミラー１５は、第１対物レンズ１６から入射する第１レーザ光の戻り光を、反射ミラー３５の方向に反射する。
【００２０】
第１対物レンズ１６は、第１立上ミラー１５から入射した第１レーザ光を、第２光ディスク５Ｂ又は第３光ディスク５Ｃの記録面における信号記録層に集光する。
【００２１】
第２光ディスク５Ｂ又は第３光ディスク５Ｃの信号記録層で反射した第１レーザ光の戻り光は、第１対物レンズ１６によって平行光に変換された後、第１立上ミラー１５、反射ミラー３５を介して１／４波長板３４に入射し、１／４波長板３４によって円偏光光から直線偏光光に変換される。直線偏光光となった第１レーザ光の戻り光は、コリメートレンズ３３、ビームスプリッタ３２を介してカップリングレンズ２４に入射する。
【００２２】
カップリングレンズ２４は、第１レーザ光の戻り光が光検出器３８で受光できるように、ビームスプリッタ３２から入射した第１レーザ光の戻り光の収束角を変換する。
【００２３】
ハーフミラー３６は、例えば、青色波長帯のＳ偏光のレーザ光を反射し、青色波長帯のＳ偏光以外のレーザ光を透過する。尚、青色波長帯の詳細については、後述する。カップリングレンズ２４から入射する第１レーザ光の戻り光は、赤色波長帯又は赤外波長帯のＳ偏光のレーザ光で、ハーフミラー３６は、カップリングレンズ２４から入射する第１レーザ光の戻り光を透過する。
【００２４】
検出レンズ３７は、ハーフミラー３６から入射される第１レーザ光の戻り光を、光検出器３８に集光させるとともに、第１レーザ光の戻り光に非点収差を発生させてフォーカスエラー信号を生成する。尚、検出レンズ３７の入射面側又は出射面側には、例えばシリンドリカル面、平面、凹曲面、又は凸曲面が形成されており、本実施例の場合、検出レンズ３７は平行平板を非点収差の発生方向を考慮した所定方向に傾けて構成されている。  
光検出器３８は、検出レンズ３７から入射される第１レーザ光の戻り光を光電変換する。
【００２５】
＝＝＝第２光学系＝＝＝
以下、図１乃至図３を参照して、本実施形態における光ピックアップ装置の第２光学系について説明する。
【００２６】
第２光学系は、ＢＤ規格用の光学系であり、第２レーザ光源２１０、第２回折格子２２、第２の１／２波長板２３、ハーフミラー３６、カップリングレンズ２４、ビームスプリッタ３２、コリメートレンズ３３、１／４波長板３４、反射ミラー３５、第２立上ミラー２５、第２対物レンズ２６（対物レンズ）、検出レンズ３７、光検出器３８、フロントモニタダイオード３１等の光学素子を含んで構成される。尚、例えば、ハーフミラー３６、カップリングレンズ２４、ビームスプリッタ３２、コリメートレンズ３３、１／４波長板３４、反射ミラー３５、検出レンズ３７、光検出器３８、フロントモニタダイオード３１は、第１光学系と第２光学系で共通に用いられることになる。
【００２７】
第２レーザ光源２１０は、第１レーザ光源１１０が発生する第１レーザ光の波長とは異なる、第１光ディスク５Ａに照射する青色波長帯（４００ｎｍ〜４２０ｎｍ）のうち例えば４０５ｎｍの波長の第２レーザ光を、第１レーザ光とは相補的に発生する。第２レーザ光源２１０は、例えば４０５ｎｍの波長の第２レーザ光を発生する第２レーザダイオード（レーザダイオード）２１を、第２ホルダ２７（図３）に内蔵して形成される。
【００２８】
第２回折格子２２は、第２レーザ光源２１０で発生した第２レーザ光から、０次光、＋１次回折光、−１次回折光を生成する。
【００２９】
第２の１／２波長板２３は、例えば、Ｐ偏光の直線偏光光である第２レーザ光をＳ偏光の直線偏光光に変換する。
【００３０】
ハーフミラー３６は、第２の１／２波長板２３から入射する青色波長帯のＳ偏光の第２レーザ光を、カップリングレンズ２４の方向に反射する。又、カップリングレンズ２４から入射する第２レーザ光の戻り光は、例えば、第１光ディスク５Ａで反射してＰ偏光のレーザ光となっているので、ハーフミラー３６は、第２レーザ光の戻り光を透過する。
【００３１】
カップリングレンズ２４は、第２レーザ光が第１光ディスク５Ａの信号記録層に集光されるように、ハーフミラー３６から入射した第２レーザ光の発散角を変換する。又、カップリングレンズ２４は、第２レーザ光の戻り光が光検出器３８で受光できるように、ビームスプリッタ３２から入射した第２レーザ光の戻り光の収束角を変換する。
【００３２】
カップリングレンズ２４から入射する第２レーザ光は、例えば、赤色波長帯及び赤外波長帯のＰ偏光以外の青色波長帯のＳ偏光のレーザ光なので、ビームスプリッタ３２は、カップリングレンズ２４から入射する第２レーザ光を、コリメートレンズ３３の方向に反射する。このとき、ビームスプリッタ３２は、第２レーザ光の強度を調整するために、第２レーザ光の一部を透過する。尚、フロントモニタダイオード３１は、ビームスプリッタ３２から第２レーザ光の一部を入射して、第２レーザ光の強度を調整するための光学素子である。又、コリメートレンズ３３から入射する第２レーザ光の戻り光は、例えば、赤色波長帯及び赤外波長帯のＰ偏光以外の青色波長帯のＰ偏光のレーザ光なので、ビームスプリッタ３２は、コリメートレンズ３３から入射する第２レーザ光の戻り光を、カップリングレンズ２４の方向に反射する。
【００３３】
ビームスプリッタ３２でコリメートレンズ３３の方向に反射した第２レーザ光は、コリメートレンズ３３によって平行光に変換された後、１／４波長板３４によって直線偏光光から円偏光光に変換される。円偏光光となった第２レーザ光は、反射ミラー３５によって第２立上ミラー２５の方向に反射される。尚、第２レーザ光の光路における、反射ミラー３５と第２立上ミラー２５との間に配置された第１立上ミラー１５は、赤色波長帯及び赤外波長帯のレーザ光を反射し、青色波長帯のレーザ光を透過するものとする。
【００３４】
第２立上ミラー２５は、反射ミラー３５から入射する第２レーザ光を、第１光ディスク５Ａの記録面に垂直な方向に反射する。又、第２立上ミラー２５は、第２対物レンズ２６から入射する第２レーザ光の戻り光を、反射ミラー３５の方向に反射する。
【００３５】
第２対物レンズ２６は、第２立上ミラー２５から入射した第２レーザ光を、第１光ディスク５Ａの記録面における信号記録層に集光する。
【００３６】
第１光ディスク５Ａの信号記録層で反射した第２レーザ光の戻り光は、第２対物レンズ２６によって平行光によって変換された後、第２立上ミラー２５、反射ミラー３５、を介して１／４波長板３４に入射し、１／４波長板３４によって円偏光光から直線偏光光に変換される。直線偏光光となった第２レーザ光の戻り光は、コリメートレンズ３３、ビームスプリッタ３２、カップリングレンズ２４、ハーフミラー３６を介して検出レンズ３７に入射する。
【００３７】
検出レンズ３７は、ハーフミラー３６から入射される第２レーザ光の戻り光を、光検出器３８に集光させるとともに、第２レーザ光の戻り光に非点収差を発生させてフォーカスエラー信号を生成する。
【００３８】
光検出器３８は、検出レンズ３７から入射される第２レーザ光の戻り光を光電変換する。
【００３９】
＝＝＝光ピックアップ装置＝＝＝
以下、図３を参照して、本実施形態における光ピックアップ装置について説明する。  
光ピックアップ装置１００は、ハウジング５０、アクチュエータ６、レンズホルダ６７（対物レンズホルダ）、第１光学系の光学素子、第２光学系の光学素子を有する。尚、本実施形態において、Ｚ軸は、光ディスク５を回転させるスピンドルモータの回転軸の長手方向（フォーカス方向、垂直方向）に沿う軸であり、上側に向かう方向を＋Ｚ方向として、下側に向かう方向を−Ｚ方向とする。尚、第１光ディスク５Ａ、第２光ディスク５Ｂ、第３光ディスク５Ｃのうち、スピンドルモータによって回転される光ディスクを、説明の便宜上、光ディスク５と称する。Ｙ軸は、光ディスク５の径方向（トラッキング方向、ラジアル方向）に光ピックアップ装置１００が移動する方向に沿う軸であり、回転軸から離れる方向を＋Ｙ方向とし、回転軸に近づく方向を−Ｙ方向とする。Ｘ軸は、タンジェンシャル方向に沿う軸であり、ハウジング５０の外側から側面５３０に向かう方向を−Ｘ方向とし、ハウジング５０の外側から側面５４０に向かう方向を＋Ｘ方向とする。
【００４０】
レンズホルダ６７は、第１対物レンズ１６及び第２対物レンズ２６を保持する。レンズホルダ６７には、第１フォーカスコイル７１、７４、第２フォーカスコイル７２、７５、トラッキングコイル７３、７６が取り付けられる。第１フォーカスコイル７１、７４は、レンズホルダ６７をフォーカス方向に変位させるためのフォーカスが供給される一本の導電線を巻回した、一対のコイルである。第２フォーカスコイル７２、７５は、レンズホルダ６７をフォーカス方向に変位させるためのフォーカス信号が供給される一本の導電線を巻回した、一対のコイルである。トラッキングコイル７３、７６は、レンズホルダ６７をトラッキング方向に変位させるためのトラッキング信号が供給される一本の導電線を巻回した、一対のコイルである。尚、レンズホルダ６７、第１フォーカスコイル７１、７４、第２フォーカスコイル７２、７５、トラッキングコイル７３、７６の詳細については、後述する。
【００４１】
アクチュエータ６は、レンズホルダ６７をフォーカス方向及びトラッキング方向に変位させる。つまり、アクチュエータ６は、第１対物レンズ１６及び第２対物レンズ２６をフォーカス方向及びトラッキング方向に変位させる。アクチュエータ６は、フレーム６３、サスペンションワイヤ６４、６５、マグネット６６、６８、制御基板６９を有する。尚、アクチュエータ６、レンズホルダ６７、第１対物レンズ１６、第２対物レンズ２６、コイルが、対物レンズ駆動装置に相当する。
【００４２】
マグネット６６、６８は、レンズホルダ６７をフォーカス方向及びトラッキング方向に変位させるための磁束を発生する磁性体である。マグネット６６は、アクチュエータ６及びレンズホルダ６７をハウジング５０に収容した際、レンズホルダ６７のフレーム６３側（−Ｘ側）の面と対向するように、フレーム６３に取り付けられる。マグネット６８は、アクチュエータ６及びレンズホルダ６７をハウジング５０に収容した際、レンズホルダ６７のフレーム６３とは反対側の面と対向するように、開口２０２を通してハウジング５０の底面に配置される。尚、開口２０２については後述する。
【００４３】
制御基板６９は、フォーカス信号及びトラッキング信号を出力する基板であり、フレーム６３のマグネット６６とは反対側の端に取り付けられる。
【００４４】
サスペンションワイヤ６４、６５は、レンズホルダ６７がトラッキング方向及びフォーカス方向に変位できるように、フレーム６３に対してレンズホルダ６７を弾性支持する。サスペンションワイヤ６４、６５は、レンズホルダ６７をトラッキング方向及びフォーカス方向に変位させるためのフォーカス信号及びトラッキング信号を送信する信号線でもある。サスペンションワイヤ６４、６５は、夫々例えば３本のワイヤを有する。サスペンションワイヤ６４、６５の一端は夫々、フレーム６３に取り付けられた補助部材６２Ａ、６２Ｂに接着されると共に、制御基板６９に例えば半田等を用いて電気的に接続される。サスペンションワイヤ６４、６５の他端は夫々、レンズホルダ６７のフレーム６３側の面において接着されると共に、第１フォーカスコイル７１、７４、第２フォーカスコイル７２、７５、トラッキングコイル７３、７６に例えば半田等を用いて電気的に接続される。サスペンションワイヤ６４のうち、例えば、上側及び下側のサスペンションワイヤの他端は夫々、一対の第１フォーカスコイル７１、７４の両端に接続される。サスペンションワイヤ６５のうち、例えば、上側及び下側のサスペンションワイヤの他端は夫々、一対の第２フォーカスコイル７２、７５の両端に接続される。サスペンションワイヤ６４、６５の中央のサスペンションワイヤの他端は夫々、トラッキングコイル７３、７６の両端に接続される。
【００４５】
ハウジング５０は、第１光学系の光学素子、第２光学系の光学素子、第１ホルダ１７、第２ホルダ２７、アクチュエータ６、レンズホルダ６７を収容するための、例えば樹脂製の容器である。ハウジング５０には、ハウジング５０の内部に第１光学系の光学素子、第２光学系の光学素子、第１ホルダ１７、第２ホルダ２７（以下、「光学素子等」と称する）を例えば上側から配置して収容するための開口２０１が形成される。ハウジング５０には、ハウジング５０の内部にアクチュエータ６、レンズホルダ６７を例えば上側から配置して収容するための開口２０２が形成される。ハウジング５０のスピンドルモータ側の側面は、例えば、スピンドルモータを回避するように所定の曲率をもって抉られた形状を呈する。ハウジング５０の側面５３０にガイド部材５３が設けられ、側面５４０にガイド部材５４Ａ、５４Ｂが設けられる。ガイド部材５３、５４Ａ、５４Ｂは、光ディスク５のラジアル方向に沿って光ピックアップ装置１００を移動させるための、一対のガイド軸に対して、光ピックアップ装置１００を取り付けるための部材である。ハウジング５０の底面には、光学素子等が、図１及び図２を参照して説明したような位置関係となるように開口２０１を通して上側から配置される。ハウジング５０の底面には、アクチュエータ６、レンズホルダ６７が、開口２０２を通して上側から配置される。
【００４６】
＝＝＝レンズホルダ＝＝＝
以下、図３乃至図５を参照して、本実施形態におけるレンズホルダについて説明する。図４は、本実施形態における対物レンズが露出する側から見たレンズホルダを示す斜視図である。尚、第１フォーカスコイル７４、第２フォーカスコイル７５、トラッキングコイル７６、コイルボビン７４Ａ、７５Ａ、７６Ａは見えない状態となっている。図５は、本実施形態における脚板が立ち上がる側から見たレンズホルダを示す斜視図である。尚、トラッキングコイル７６は、見えない状態となっている。保持板６７１の２本の長辺の間の中心線Ｐ１が点線で示される。
【００４７】
レンズホルダ６７は、第１対物レンズ１６、第２対物レンズ２６が夫々、第１立上ミラー１５、第２立上ミラー２５の上側に配置されるように、第１対物レンズ１６、第２対物レンズ２６を保持する。レンズホルダ６７は、保持板６７１、脚板６７２（第１脚板）、脚板６７３（第２脚板）、補強板８を有する。保持板６７１、脚板６７２、６７３は、例えば樹脂を用いて一体成形される。
【００４８】
保持板６７１は、第１対物レンズ１６、第２対物レンズ２６を保持するための部材である。保持板６７１は、例えばトラッキング方向に沿う長辺とタンジェンシャル方向に沿う短辺とを有する矩形形状を呈する板部材である。保持板６７１は、第１対物レンズ１６及び第２対物レンズ２６が例えばトラッキング方向に沿って隣り合うように、第１対物レンズ１６、第２対物レンズ２６を保持する。
【００４９】
脚板６７２は、例えば矩形形状を呈する平板である。脚板６７３は、脚板６７２と同様な形状を呈する平板である。脚板６７２、６７３は夫々、保持板６７１の相対する長辺から垂直方向（−Ｚ側）に向かって延在する。尚、保持板６７１、脚板６７２、６７３をトラッキング方向に沿って＋Ｙ側に向かって見た場合、保持板６７１、脚板６７２、６７３はコ字状となるように形成される。脚板６７２、６７３は、中心線Ｐ１を基準に線対称となるように形成される。
【００５０】
脚板６７２には、第１フォーカスコイル７１、第２フォーカスコイル７２、トラッキングコイル７３が取り付けられる。脚板６７３には、第１フォーカスコイル７４、第２フォーカスコイル７５、トラッキングコイル７６が取り付けられる。第１フォーカスコイル７１及び７４は夫々、脚板６７２の外側を向く面（＋Ｘ側）、脚板６７３の外側を向く面（−Ｘ側）の面に設けられたコイルボビン７１Ａ、７４Ａに対して１本の導電線を巻回して形成される。第２フォーカスコイル７２及び７５は夫々、脚板６７２の外側を向く面（＋Ｘ側）、脚板６７３の外側を向く面（−Ｘ側）に設けられたコイルボビン７２Ａ、７５Ａに対して１本の導電線を巻回して形成される。トラッキングコイル７３及び７６は夫々、脚板６７２の外側を向く面（＋Ｘ側）、脚板６７３の外側を向く面（−Ｘ側）に設けられたコイルボビン７３Ａ、７６Ａに対して１本の導電線を巻回して形成される。第１フォーカスコイル７１、第２フォーカスコイル７２は、トラッキング方向に沿ってトラッキングコイル７３を中心に対称となるように脚板６７２に設けられる。第１フォーカスコイル７４、第２フォーカスコイル７５は、トラッキング方向に沿ってトラッキングコイル７６を中心に対称となるように脚板６７２に設けられる。
【００５１】
補強板８は、レンズホルダ６７を補強して共振周波数を高くする板部材である。尚、共振周波数、補強板８の詳細については後述する。
【００５２】
＝＝＝共振、共振周波数＝＝＝
以下、図１乃至図５、図９を参照して、本実施形態におけるレンズホルダの共振、共振周波数について説明する。図９は、図５のＧ１−Ｇ２の断面から−Ｙ側へ向かって見た、本実施形態におけるレンズホルダの断面図である。
【００５３】
レンズホルダ６７は、前述したように、コ字状となるようにレンズホルダ６７の−Ｚ側が開口する形状を呈する。例えば、レンズホルダ６７がフォーカス方向又はトラッキング方向に変位する際、第１フォーカスコイル７１、７４、第２フォーカスコイル７２、７５、トラッキングコイル７３、７６に対する磁束の加えられ方が変化して、レンズホルダ６７に対してフォーカス方向以外の方向に電磁力が加えられることがある。その場合、脚板６７２、６７３では、脚板６７２と保持板６７１との結合部分、脚板６７２と保持板６７１との結合部分夫々を支点に脚板６７２、６７３の−Ｚ側の端部が相互に近づいたり離れたりする（図９の一点鎖線矢印）ような、振動が発生する。尚、レンズホルダ６７の脚板６７２、６７３が振動した際に、脚板６７２、６７３の−Ｚ側の端部が夫々、タンジェンシャル方向に沿って変位する変位量Ｗ１、Ｗ２を振動の振幅（ゲイン）とする。前述の脚板６７２、６７３の振動は、例えば第１フォーカスコイル７１、７４、第２フォーカスコイル７２、７５に送信されるフォーカス信号が所定周波数のときに共振することになる。尚、共振するときのフォーカス信号の周波数を、共振周波数とする。レンズホルダ６７が共振した場合、脚板６７２、６７３の振動のゲインが大きくなり、レンズホルダ６７を変位させる精度が低下し、光ディスク５から良好な情報の読み取りが妨げられる虞がある。よって、共振周波数を、フォーカス信号の周波数として通常使われる周波数帯域よりも高い周波数帯域（例えば２０ｋＨｚ以上）にシフトする必要がある。更に、光ディスク５を倍速モードで読み取る際に良好な情報の読み取りが妨げられないように、高い周波数帯域にシフトされた共振のゲインを小さくする必要がある。
【００５４】
＝＝＝補強板＝＝＝
以下、図４乃至図８を参照して、本実施形態における補強板について説明する。図６は、本実施形態における保持板と対向する側から見た補強板を示す斜視図である。図７は、本実施形態における保持板と対向する側とは反対側から見た補強板を示す斜視図である。図８は、本実施形態における補強板と立上ミラーとを示す側面図である。尚、第１立上ミラー１５の一部は見えない状態となっているが、一点鎖線で示される。補強部８１２、８１４、８２２、８４１乃至８４４は見えない状態となっている。
【００５５】
補強板８は、レンズホルダ６７を補強する板部材である。補強板８は、保持板６７１の第１対物レンズ１６及び第２対物レンズ２６が外側に露出する面とは反対側の面（−Ｚ側）、脚板６７２のコイルが露出する面とは反対側の面（−Ｘ側）、脚板６７３のコイルが露出する面とは反対側の面（＋Ｘ側）に取り囲まれた、保持板６７１と脚板６７２及び６７３の内側の面に取り付けられる。補強板８は、保持板６７１の２本の長辺の間の中心線Ｐ１を基準に線対称な形状を呈する一体板である。補強板８は、例えば金属板を折り曲げ加工して形成してもよいし、各金属板を溶接して形成してもよい。補強板８は、補強部Ａ、Ｂ、Ｄ、湾曲アームＣを有している。
【００５６】
補強部Ａは、保持板６７１と脚板６７２及び６７３の内側の面に沿った略コ字形状を呈する。補強部Ｂは、トラッキング方向に沿って補強部Ａの−Ｙ側に設けられる。補強部Ｂは、脚板６７２、６７３の間で、保持板６７１の内側の面（−Ｚ）に沿って補強部Ａとは反対側に向かって延在し、補強部Ｂにおける補強部Ａとは反対側の辺から保持板６７１に対して略垂直方向（−Ｚ側）に向かって折れ曲った形状を呈する。補強部Ｂの保持板６７１に沿った面における折れ曲がった側とは反対側の辺と、補強部Ａの補強部Ｂと対向する側の辺とは一体となっている。補強部Ｄは、トラッキング方向に沿って補強部Ａの補強部Ｂとは反対側（＋Ｙ）に設けられる。補強部Ｄは、垂直方向（Ｚ軸方向）の高さが補強部Ａにおける保持板６７１の内側に沿う面と同じ高さとなるように、保持板６７１の内側の面に沿う形状を呈する。補強部Ａ、Ｄは、第１レーザ光を第１対物レンズ１６に入射するための補強部Ａ、Ｄの間の孔８６が形成されるように、タンジェンシャル方向に沿った相互に対向する辺の両端同士が湾曲アームＣによって一体とされる。よって、補強部Ａ、Ｂ、Ｄ、湾曲アームＣは、一体の補強板８を形成する。
【００５７】
補強部Ａは、保持板６７１の内側の面（−Ｚ）、脚板６７２の内側の面（−Ｘ）、脚板６７３の内側の面（＋Ｘ）と夫々対向する補強部８１、８１１、８１２を有する。補強部８１は、略矩形形状を呈する。補強部８１は、保持板６７１の内側の面における、第１対物レンズ１６と第２対物レンズ２６との間の、例えば第１対物レンズ１６側に取り付けられる。尚、補強部８１の取り付けの詳細については、後述する。補強部８１の第１対物レンズ１６側は、例えば補強板８をレンズホルダ６７に取り付けた際に第１対物レンズ１６に入射する第１レーザ光の光路を妨げないように、第１対物レンズ１６とは反対側に向けて抉られた形状を呈する。補強部８１２は、略矩形形状を呈する。補強部８１２は、タンジェンシャル方向において補強部８１に沿うように、脚板６７３の内側の面に取り付けられる。尚、補強部８１２の取り付けの詳細については、後述する。補強部８１２の保持板６７１側（＋Ｚ側）の辺は、例えば保持板６７１と脚板６７３との結合部分に沿う形状の補強部８１４の補強部８１２側の辺と一体となっている。補強部８１４の補強部８１側の辺は、補強部８１の脚板６７３側（−Ｘ側）の辺と一体となっている。補強部８１１は、補強部８１２と同様な形状を呈する。補強部８１１は、中心線Ｐ１を基準に補強部８１２と線対称となるように、脚板６７２の内側の面に取り付けられる。尚、補強部８１１の取り付けの詳細については、後述する。補強部８１１の保持板６７１側の辺は、例えば保持板６７１と脚板６７２との結合部分に沿う形状の補強部８１３の補強部８１１側の辺と一体となっている。補強部８１３の補強部８１側の辺は、補強部８１の脚板６７２側（＋Ｘ側）の辺と一体となっている。
【００５８】
補強部Ｂは、保持板６７１の内側の面、脚板６７２の内側の面、脚板６７３の内側の面と夫々対向する補強部８７、８２１、８２２及び、補強部８７の第２対物レンズ２６側の辺からフォーカス方向（−Ｚ側）に向かって折れ曲げられた補強部８２を有する。補強部８７は矩形形状を呈する。補強部８７は、保持板６７１の内側の面における、補強部８１と第２対物レンズ２６との間に設けられる。補強部８２は、補強部８７の第２対物レンズ２６側の辺から、保持板６７１に対して略垂直となる保持板６７１から離れる方向に向かって折れ曲げられている。補強部８２は、保持板６７１におけるトラッキング方向の略中央よりも第２対物レンズ２６側で折り曲げられている。補強部８２は、脚板６７２、６７３の間でタンジェンシャル方向に沿った形状を呈する。尚、補強部８２の折れ曲げられる角度の詳細については、後述する。補強部８２の保持板６７１から−Ｚ側に向かって突出した側は、第２対物レンズ２６に入射する第２レーザ光の光路を妨げないように、保持板６７１側に向かって抉られた形状を呈する。補強部８７の補強部８１側の辺は、補強部８１の補強部８７側の辺と一体となっている。ここで、補強部８７の補強部８１側の辺の長さは、補強部８１の補強部８７側の辺の長さよりも、短いものとする。補強部８１の補強部８７側の辺の両端が同様な長さだけ露出しているものとする。よって、補強部８２、８１２の間から補強部８２、８１の間に連続する切欠９２Ａ、補強部８２、８１１の間から補強部８２、８１の間に連続する切欠９１Ａが形成される。補強部８２２は、略矩形形状を呈し、脚板６７３の内側の面と対向する。補強部８２２は、補強部８２の脚板６７３側の端における切欠９２Ａが設けられる方向とは反対側に設けられる。補強部８２２の切欠９２Ａ側の辺は、補強部８２の脚板６７３側の辺と一体となっている。補強部８２１は、補強部８２２と同様な形状を呈する。補強部８２１は、中心線Ｐ１を基準に補強部８２１と線対称となるように、補強部８２の脚板６７２側の端における切欠９１Ａが設けられる方向とは反対側に設けられる。補強部８２１の切欠９１Ａ側の辺は、補強部８２の脚板６７２側の辺と一体となっている。
【００５９】
補強部Ｄは、保持板６７１の内側の面と対向する補強部８５（第４補強部）を有する。補強部８５は、略矩形形状を呈する。補強部８５は、保持板６７１の内側の面における、第１対物レンズ１６と保持板６７１の＋Ｙ側の縁との間（第１対物レンズ１６の補強部８１とは反対側）に設けられる。補強部８５のタンジェンシャル方向の長さは、第１対物レンズ１６の径よりも長いものとする。補強部８５の第１対物レンズ１６側は、第１対物レンズ１６に入射する第１レーザ光の光路を妨げないよう、第１対物レンズ１６とは反対側に向けて抉られた形状を呈する。
【００６０】
湾曲アームＣは、補強部Ａ、Ｄを結合して一体とする。湾曲アームＣは、第１立上ミラー１５の第１対物レンズ１６と対向する面（＋Ｚ）に沿う形状を呈する補強部８３１、８４１を有する。尚、第１立上ミラー１５は、レンズホルダ６７をハウジング５０に配置した際、保持板６７１と脚板６７２及び６７３とで取り囲まれる側の面で取り囲まれる領域で第１対部レンズ１６に対向する位置に配置されるものとする。補強部８４１は、補強部８１の補強部８５側の辺における脚板６７３側の端から第１立上ミラー１５の第１対物レンズ１６と対向する面に沿った状態で、補強部８５側へ突出する形状を呈する。補強部８４１は、補強部８４２、８４４によって、補強部８５と結合される。補強部８４２は、補強部８５の補強部８１側の辺における脚板６７３側の端から、保持板６７１に対して略垂直となると共に、保持板６７１から離れる方向に向かって突出する形状を呈する。尚、補強部８４２の突出する角度の詳細については、後述する。補強部８１２、８１４、８１、８４１の間に切欠９４Ａが形成される。補強部８４１、８４２の保持板６７１から離れる側の端部同士は、補強部８４４によって結合されて一体となっている。尚、補強部８４１、８４２のタンジェンシャル方向の幅は、第１及び第２レーザ光の光路を妨げないように、例えば、保持板６７１の脚板６７３側の縁から対物レンズ１６までのタンジェンシャル方向に沿う距離よりも短いものとする。補強部８４１、８４２の脚板６７２側は、第１対物レンズ１６に入射する第１レーザ光の光路を妨げないように、脚板６７３側に向けて抉られた形状を呈する。補強部８４３は、略矩形形状を呈し、脚板６７３の内側の面と対向する。補強部８４３は、補強部８４１の脚板６７３側の辺から切欠９４Ａに向けて突出するように設けられる。補強部８３１乃至８３４は、補強部８４１乃至８４４と同様な形状を呈する。補強部８３１乃至８３４は夫々、中心線Ｐ１を基準に補強部８４１乃至８４４と線対称となるように設けられる。
【００６１】
尚、補強部８１、８７が第３補強部に相当する。補強部８１１、８２１、８３３が第１補強部に相当する。補強部８１２、８２２、８４３が第２補強部に相当する。
【００６２】
＝＝＝補強部８２、８３２、８４２の角度＝＝＝
以下、図３乃至図８を参照して、本実施形態における補強部８２、８３２、８４２の角度について説明する。  
補強部８４２、８３２、８２は、前述したように、保持板６７１と脚板６７２及び６７３とで取り囲まれる側の面に設けられるので、第１及び第２レーザ光の光路上に設けられることとなる。よって、例えば、レンズホルダ６７に対して＋Ｙ側から−Ｙ側に向かって入射する第１及び第２レーザダイオード（図８の白抜き矢印）の一部が補強部８４３、８３２、８２の第１及び第２レーザダイオードが入射する側の面（＋Ｙ）で全反射することがある。その全反射光によって、光ディスク５から良好な情報の読み取りが妨げられる虞がある。よって、補強部８４３、８３２、８２での、第１及び第２レーザダイオードの全反射を抑える必要がある。  
補強部８４２、８２は、第１及び第２レーザ光の光路に対して垂直な方向Ｍ３、Ｍ４に対して角度Ｄ１、Ｄ２を有するように設けられる。この角度Ｄ１、Ｄ２を、補強部８４２、８３２、８２での第１及び第２レーザ光の反射によって光ディスク５から良好な情報の読み取りが妨げられないように調整することによって、補強部８４２、８３２、８２による第１及び第２レーザ光の反射の影響を取り除くことができる。
【００６３】
＝＝＝補強板の取り付け、接着剤＝＝＝
以下、図４乃至図９を参照して、本実施形態におけるレンズホルダへの補強板の取り付け、接着剤について説明する。  
補強板８は、保持板６７１と脚板６７２及び６７３の、保持板６７１と脚板６７２及び６７３とで取り囲まれる側の面に、第１接着剤９３及び第２接着剤９１、９２を用いて接着される。尚、第１接着剤９３は、例えば、レンズホルダ６７の剛性を高めて共振周波数を高くするために用いられる、高い硬度の例えばエポキシ樹脂系の接着剤である。第２接着剤９１、９２は、レンズホルダ６７の振動を吸収し共振のゲインを小さくするために用いられる、第１接着剤９３の硬度よりも低い硬度の例えばアクリル系の接着剤である。  
補強板８は、保持板６７１の内側の面（−Ｚ）に対して第１接着剤９３によって接着され、脚板６７２の内側の面（−Ｘ）、脚板６７３の内側の面（＋Ｘ）に対して夫々、第２接着剤９１、９２によって接着される。具体的には、補強部８１、８７、８５、８１３、８１４は、保持板６７１の内側の面に対して第１接着剤９３によって接着される。補強部８１１、８２１、８３３は、脚板６７２の内側の面に対して第２接着剤９２によって接着される。補強部８１２、８２２、８４３は、脚板６７３の内側の面に対して第２接着剤９１によって接着される。
【００６４】
＝＝＝共振周波数とゲイン＝＝＝
以下、図４乃至図１０を参照して、本実施形態におけるレンズホルダの共振周波数とゲインについて説明する。図１０は、本実施形態における共振周波数とゲインとの関係を示す特性図である。尚、横軸は、第１フォーカスコイル７１、７４、第２フォーカスコイル７２、７５に入力されるフォーカス信号の周波数を示す。縦軸は、レンズホルダの振動のゲインを示す。レンズホルダ６７、他のレンズホルダＺ１、他のレンズホルダＺ２夫々の周波数とゲインとの関係は、実線、二点鎖線、一点鎖線で示される。他のレンズホルダＺ１は、レンズホルダ６７において第２接着剤９１、９２を第１接着剤に変更したレンズホルダとする。つまり、他のレンズホルダＺ１は、第１接着剤のみを用いて、補強板８を接着したレンズホルダである。他のレンズホルダＺ２は、レンズホルダ６７において第１接着剤９３を第２接着剤に変更したレンズホルダとする。つまり、他のレンズホルダＺ２は、第２接着剤のみを用いて、補強板８を接着したレンズホルダである。尚、図１０は、実験によって求められた特性図である。
【００６５】
他のレンズホルダＺ１（図１０の二点鎖線）の共振周波数Ｆ１は、例えば、フォーカス信号の周波数として通常使われる周波数帯域（以下、「通常の周波数帯域」称する）の上限の周波数Ｆ４（例えば２０ｋＨｚ）よりも高くなる。他のレンズホルダＺ１の共振のゲインＱ１は、例えば、光ディスク５を読み取る際に良好な情報の読み取りが妨げられる虞があるレベルとなる。よって、光ディスク５を倍速モードで読み取る際に、フォーカス信号の周波数を通常の周波数帯域よりも高くした場合、他のレンズホルダＺ１の共振によって、光ディスク５の良好な情報の読み取りが妨げられる虞がある。
【００６６】
他のレンズホルダＺ２（図１０の一点鎖線）の共振周波数Ｆ２は、例えば、周波数Ｆ４よりも低くなる。他のレンズホルダＺ２の共振のゲインＱ２は、例えば、ゲインＱ１よりも小さくなる。よって、通常の周波数帯域内で他のレンズホルダＺ２の共振が発生するために、光ディスク５の良好な情報の読み取りが妨げられる虞がある。
【００６７】
レンズホルダ６７（図１０の実線）の共振周波数Ｆ３は、例えば、周波数Ｆ４よりも高く、且つ他のレンズホルダＺ１の共振周波数Ｆ１よりも低くなる。レンズホルダ６７のゲインＱ３は、例えば、ゲインＱ２よりも小さくなる。よって、レンズホルダ６７では、共振周波数Ｆ３を通常の周波数帯域の上限の周波数Ｆ４よりも高くすると共に、共振のゲインＱ３を、第１接着剤のみで補強板８を接着した、他のレンズホルダＺ１のゲインＱ１よりも小さくできる。
【００６８】
前述したように、保持板６７１は、第１対物レンズ１６、第２対物レンズ２６を保持する。脚板６７２、６７３は、平板形状を呈する。脚板６７２、６７３は夫々、保持板６７１の相対する長辺から同一の方向に延在する（立ち上がる）。脚板６７２には、第１フォーカスコイル７１、第２フォーカスコイル７２、トラッキングコイル７３が取り付けられる。脚板６７３には、第１フォーカスコイル７４、第２フォーカスコイル７５、トラッキングコイル７６が取り付けられる。保持板６７１と脚板６７２及び６７３の、保持板６７１と脚板６７２及び６７３とで取り囲まれる側の面には、補強板８が取り付けられる。補強板８は、脚板６７２に対向する補強部８１１、８２１、８３３（第１補強部）と、脚板６７３に対向する補強部８１２、８２２、８４３（第２補強部）と、保持板６７１に対向する補強部８１、８７（第３補強部）を有する一体板である。補強部８１、８７は、保持板６７１の内側の面に対して第１接着剤９３によって接着される。補強部８１１、８２１、８３３は、脚板６７２の内側の面に対して第１接着剤９３の硬度よりも低い硬度の第２接着剤９２によって接着される。補強部８１２、８２２、８４３は、脚板６７３の内側の面に対して第１接着剤９３の硬度よりも低い硬度の第２接着剤９１によって接着される。よって、補強板８をレンズホルダ６７に対して硬度の高い第１接着剤９３によって確実に接着してレンズホルダ６７の剛性を高めると共に、第１接着剤９３の硬度よりも低い硬度の第２接着剤９１、９２によってレンズホルダ６７の振動を吸収することができる。従って、レンズホルダ６７の共振周波数を通常の周波数帯域の上限の周波数よりも高くすると共に、共振のゲインを、第１接着剤のみで補強板８を接着した、他のレンズホルダＺ１のゲインよりも小さくできる。
【００６９】
又、補強板８は、第１乃至第３補強部と、補強部８５（第４補強部）を有する一体板である。補強部８５は、第１対物レンズ１６の第３補強部とは反対側において保持板６７１の内側の面と対向する。補強部８５は、第１接着剤９３によって保持板６７１の内側の面に接着される。つまり、補強部８５は、保持板６７１における、第３補強部から離れた位置に設けられる。よって、例えば、第３補強部を支点とした保持板６７１の変形を防止して、レンズホルダ６７の剛性を高めることによって、共振周波数を確実に高くすることができる。又、補強部８５を、保持板６７１の端と第１対物レンズ１６の間に設けられる形状とした場合、補強板８５を取り付けるためのスペースを新たに確保す必要がないので、コンパクトなレンズホルダ６７を提供できる。
【００７０】
又、補強板８は、湾曲アームＣを有する。湾曲アームＣは、保持板６７１と脚板６７２及び６７３とで取り囲まれる領域において、第１対物レンズ１６と対向する位置に配置される第１立上ミラー１５の傾きに沿う形状を呈する。第３補強部及び第４補強部は、湾曲アームＣで結合して一体とされる。従って、第３補強部及び第４補強部を結合して一体とすることによって、レンズホルダ６７の剛性を更に高めて、共振周波数を更に確実に高くすることができる。又、補強板８と第１立上ミラー１５とが干渉しないので、第１対物レンズ１６及び第２対物レンズ２６をフォーカス方向及びトラッキング方向に確実に変位させることができる。又、レンズホルダ６７がトラッキング方向及びフォーカス方向に変位するとき、補強板８が第１立上ミラー１５と擦れて磨耗することがないので、耐久性の高いレンズホルダ６７を提供できる。
【００７１】
又、保持板６７１は、第１対物レンズ１６及び第２対物レンズ２６を隣り合うように保持する。脚板６７２、６７３は夫々、保持板６７１の第１対物レンズ１６及び第２対物レンズ２６が隣り合う方向に沿うと共に、相対する長辺から同一の方向に延在する（立ち上がる）。補強板８は、第１乃至第４補強部を有する。第４補強部は、第１対物レンズ１６の第３補強部とは反対側において保持板６７１の内側の面と対向する。従って、レンズホルダ６７の保持板６７１と脚板６７２及び６７３とで取り囲まれる領域全体に補強板８を設けるのではなく、第１対物レンズ１６側にのみ補強板８を設ければよいので、レンズホルダ６７の軽量化を図ることができる。
【００７２】
又、補強部８２は、保持板６７１におけるトラッキング方向の略中央よりも第２対物レンズ２６側で折り曲げられている。脚板６７２、６７３が振動する場合、例えば、補強部８２を支点として振動することになる。よって、脚板６７２、６７３における補強部８２の第１対物レンズ１６側の振動の振幅が、脚板６７２、６７３における補強部８２の第２対物レンズ２６側の振動の振幅より大きくなる。よって、コイルのフォーカス信号の出力を振動がおさまるように調整してレンズホルダ６７の振動を減衰させる場合、第１フォーカスコイル７１、７４及び第２フォーカスコイル７２、７５のフォーカス信号を夫々個別に調整するのではなく、振動の振幅が大きい側の第２フォーカスコイル７２、７５のフォーカス信号の出力のみを振動がおさまるように調整すればよい。よって、レンズホルダ６７の振動を確実に減衰させることができるので、使い勝手のよいレンズホルダ６７を提供することができる。
【００７３】
又、保持板６７１と脚板６７２及び６７３は、樹脂を用いて一体成形される。よって、レンズホルダ６７の軽量化を図ることができる。又、一体成形されるので、組み立て作業を行う必要がなく、レンズホルダ６７の製造コストを低減できる。又、補強板８は、金属板を折り曲げ形成される。よって、補強板８の形成が容易となるので、レンズホルダ６７の製造コストを更に低減できる。
【００７４】
又、対物レンズ駆動装置は、アクチュエータ６、レンズホルダ６７、第１対物レンズ１６、第２対物レンズ２６、コイルを有する。従って、レンズホルダ６７の共振周波数を高くすると共に、共振のゲインを小さくできるので、第１対物レンズ１６及び第２対物レンズ２６をトラッキング方向及びフォーカス方向に変位させる精度を向上できる。
【００７５】
又、光ピックアップ装置１００は、第１レーザダイオード１１Ａ、１１Ｂ、第２レーザダイオード２１、第１立上ミラー１５及び第２立上ミラー２５を含む光学素子、対物レンズ駆動装置を有する。従って、トラッキング方向及びフォーカス方向に変位させる精度を向上できるので、光ディスク５の情報を良好に読み取ることができる光ピックアップ装置１００を提供できる。
【００７６】
尚、本実施形態は、本発明の理解を容易にするためのものであり、本発明を限定して解釈するためのものではない。本発明は、その趣旨を逸脱することなく、変更、改良され得るとともに、本発明にはその等価物も含まれる。
【００７７】
本実施形態においては、保持板６７１が第１対物レンズ１６及び第２対物レンズ２６の２個の対物レンズを保持する構成について説明したが、これに限定されるものではない。例えば、保持板６７１が第１対物レンズ１６又は第２対物レンズ２６の一方のみ保持する構成としてもよい。その場合、保持板６７１における脚板６７２、６７３が設けられる辺の長さを短くできるので、対物レンズホルダの剛性を高めることができる。従って、共振周波数を確実に高くすることができる。又、保持板６７１の面積を小さくできるので、コンパクトなレンズホルダを提供できる。
【符号の説明】
【００７８】
５    光ディスク
５Ａ  第１光ディスク
５Ｂ  第２光ディスク
５Ｃ  第３光ディスク
６    アクチュエータ
８    補強板
１１Ａ、１１Ｂ  第１レーザダイオード
１２  第１回折格子
１３  第１の１／２波長板
１５  第１立上げミラー
１６  第１対物レンズ
１７  第１ホルダ
２１  第２レーザダイオード
２２  第２回折格子
２３  第２の１／２波長板
２４  カップリングレンズ
２５  第２立上げミラー
２６  第２対物レンズ
２７  第２ホルダ
３１  フロントモニタダイオード
３２  ビームスプリッタ
３３  コリメートレンズ
３４  １／４波長板
３５  反射ミラー
３６  ハーフミラー
３７  検出レンズ
３８  光検出器
５０  ハウジング
６７  レンズホルダ
７１、７４  第１フォーカスコイル
７２、７５  第２フォーカスコイル
７３、７６トラッキング方向
９１、９２  第２接着剤
９３  第１接着剤
９１Ａ、９２Ａ、９３Ａ、９４Ａ  切欠
１００  光ピックアップ装置
１１０  第１レーザ光源
２１０  第２レーザ光源
６７１  保持板
６７２、６７３  脚板
Ａ、Ｂ、Ｄ  補強部
Ｃ  湾曲アーム
【図１】
2015026402.tif 000003
【図２】
2015026402.tif 000004
【図３】
2015026402.tif 000005
【図４】
2015026402.tif 000006
【図５】
2015026402.tif 000007
【図６】
2015026402.tif 000008
【図７】
2015026402.tif 000009
【図８】
2015026402.tif 000010
【図９】
2015026402.tif 000011
【図１０】
2015026402.tif 000012